(57)【特許請求の範囲】
【請求項１】
パンツ型使い捨ておむつであって、
前腹部と、後背部と、前記前腹部と前記後背部との間に設けられる股部とを有し、前記前腹部の横方向の両側の縁部と前記後背部の前記横方向の両側の縁部とが接合された外装材と、
水分を吸収する吸収コアを有し、前記外装材の肌面側に付与された内装材と、
前記外装材の前記前腹部及び前記後背部の少なくともいずれか一方に設けられ、前記前腹部及び前記後背部における他の部分よりも高い強度を有しており、かつ前記他の部分と異なる色で視認される強化部と、
を備え、
前記外装材は、
前記前腹部、前記後背部及び前記股部の全体を連続的に網羅する基材シートと、
その一部が内装材の縦方向の前方側の端部を肌面側から覆うようにして、前記基材シートの前記前腹部に対応する部分に接合された前側押さえシートと、
その一部が内装材の縦方向の後方側の端部を肌面側から覆うようにして、前記基材シートの前記後背部に対応する部分に接合された後側押さえシートと、
を備え、
前記前側押さえシート及び前記後側押さえシートの少なくともいずれか一方が、前記基材シートの色と異なる色を有しており、その異なる色を有する前側押さえシート又は前記後側押さえシートが付与された前記外装材の部分が前記強化部となっていることを特徴とするパンツ型使い捨ておむつ。
【請求項２】
パンツ型使い捨ておむつであって、
前腹部と、後背部と、前記前腹部と前記後背部との間に設けられる股部とを有し、前記前腹部の横方向の両側の縁部と前記後背部の前記横方向の両側の縁部とが接合された外装材と、
水分を吸収する吸収コアを有し、前記外装材の肌面側に付与された内装材と、
前記外装材の前記前腹部及び前記後背部の少なくともいずれか一方に設けられ、前記前腹部及び前記後背部における他の部分よりも高い強度を有しており、かつ前記他の部分と異なる色で視認される強化部と、
を備え、
前記外装材は、
前記前腹部、前記後背部及び前記股部の全体を連続的に網羅する基材シートと、
その一部が内装材の縦方向の前方側の端部を肌面側から覆うようにして、前記基材シートの前記前腹部に対応する部分に接合された前側押さえシートと、
その一部が内装材の縦方向の後方側の端部を肌面側から覆うようにして、前記基材シートの前記後背部に対応する部分に接合された後側押さえシートと、
を備え、
前記前側押さえシート及び前記後側押さえシートの少なくともいずれか一方が、前記基材シートの色と異なる色を有する接着剤により前記基材シートに接合されており、その異なる色を有する前記接着剤で接合された前側押さえシート又は前記後側押さえシートが付与された前記外装材の部分が前記強化部となっていることを特徴とするパンツ型使い捨ておむつ。
【発明の詳細な説明】
【技術分野】
【０００１】
本発明は、パンツ型使い捨ておむつに関する。
【背景技術】
【０００２】
近年、パンツ型使い捨ておむつの最も外側に用いられる外装材は、普通の下着に近い着用感を実現するため、薄くより柔らかなものへと改良が進んでいる。しかし、外装材が柔らかくなるにつれて、おむつの装着時に外装材にかけられる張力等に外装材が耐えられずに、外装材が破損する場合がある。なお、本明細書において「装着時」又は「装着の際」というときは、着用者がパンツ型使い捨ておむつを自分で穿くときと、介護者がパンツ型使い捨ておむつを着用者に穿かせるときの両方を含むものとする。
【０００３】
また、パンツ型使い捨ておむつは積層されているシート材の枚数の違い等により、部分によって張力等に対する強度が異なっている場合があるため、装着の際はより強度の高い部分が掴まれるのが好ましい。しかし、おむつの外観色は全体が同一系統の色(例えば、白色）を有している場合が多く、着用者又は介護者（以下、「着用者等」と記す）にとって、どの部分が強度が高くて掴むのに好都合なのかは分かりにくい場合が多い。
【０００４】
なお、特許文献１では、パンツ型使い捨ておむつにおいて、内装材の前後の端部を肌面側から押さえる押さえシート（２７）が設けられた構成が開示されている（段落［００１７］、図３等参照）。この構成では、外装材の押さえシートが付与された部分は他の部分よりも強度が強化されているものと思われる。しかし、通常の場合、押さえシートは外装材の基材シートと同一系統の色を有したものが用いられるため、外装材の外観から押さえシートが付与された部分を見分けるのは困難である。
【０００５】
また、特許文献２では、パンツ型使い捨ておむつの外装材を構成する内層シートと外層シートが部分的に溶融固化されて一体化されることにより、外装材の一部の強度が強化させた構成が開示されている（要約等参照）。しかし、この構成においても、着用者等が外装材の内層シートと外層シートが溶融固化された部分（溶融接合部）を判別しにくいという問題がある。
【先行技術文献】
【特許文献】
【０００６】
【特許文献１】特開２００８−１７３２８６号公報
【特許文献２】特開２０１０−８２３２７号公報
【発明の概要】
【発明が解決しようとする課題】
【０００７】
そこで、本発明の解決すべき課題は、着用者等がパンツ型使い捨ておむつの前腹部又は後背部において、強度が高く、装着の際の把持に適した部分を容易に判別でき、装着時のおむつの破損を防止できるパンツ型使い捨ておむつを提供することである。
【課題を解決するための手段】
【０００８】
上記の課題を解決するため、本発明のパンツ型使い捨ておむつは、前腹部と、後背部と、前記前腹部と前記後背部との間に設けられる股部とを有し、前記前腹部の横方向の両側の縁部と前記後背部の前記横方向の両側の縁部とが接合された外装材と、水分を吸収する吸収コアを有し、前記外装材の肌面側に付与された内装材と、前記外装材の前記前腹部及び前記後背部の少なくともいずれか一方に設けられ、前記前腹部及び前記後背部における他の部分よりも高い強度を有しており、かつ前記他の部分と異なる色で視認される強化部とを備える。
【０００９】
外装材は、前記前腹部、前記後背部及び前記股部の全体を連続的に網羅する基材シートと、その一部が内装材の縦方向の前方側の端部を肌面側から覆うようにして、前記基材シートの前記前腹部に対応する部分に接合された前側押さえシートと、その一部が内装材の縦方向の後方側の端部を肌面側から覆うようにして、前記基材シートの前記後背部に対応する部分に接合された後側押さえシートとを備え、前記前側押さえシート及び前記後側押さえシートの少なくともいずれか一方が、前記基材シートの色と異なる色を有しており、その異なる色を有する前側押さえシート又は前記後側押さえシートが付与された前記外装材の部分が前記強化部となっていることが好ましい。
【００１０】
外装材は、前記前腹部、前記後背部及び前記股部の全体を連続的に網羅する基材シートと、その一部が内装材の縦方向の前方側の端部を肌面側から覆うようにして、前記基材シートの前記前腹部に対応する部分に接合された前側押さえシートと、その一部が内装材の縦方向の後方側の端部を肌面側から覆うようにして、前記基材シートの前記後背部に対応する部分に接合された後側押さえシートとを備え、前記前側押さえシート及び前記後側押さえシートの少なくともいずれか一方が、前記基材シートの色と異なる色を有する接着剤により前記基材シートに接合されており、その異なる色を有する前記接着剤で接合された前側押さえシート又は前記後側押さえシートが付与された前記外装材の部分が前記強化部となっていることが好ましい。
【００１１】
外装材は、前記前腹部、前記後背部及び前記股部の全体を連続的に網羅する基材シートと、前記基材シートの前記前腹部及び前記後背部の少なくともいずれか一方に接合され、前記基材シートの色と異なる色を有する補強シートとを備え、前記外装材の前記補強シートが付与された部分が前記強化部となっていてもよい。
【００１２】
外装材の前記補強シートは、前記後背部における前記横方向の中央領域に配置されていてもよい。
【００１３】
外装材の前記補強シートは、前記前腹部における前記横方向の両側のサイド領域、及び前記後背部における前記横方向の両側のサイド領域に配置されていてもよい。
【発明の効果】
【００１４】
本発明に係るパンツ型使い捨ておむつによれば、外装材の前腹部及び後背部の少なくともいずれか一方に、前腹部及び後背部における他の部分よりも高い強度を有する強化部が設けられ、その強化部が他の部分と異なる色で視認される。それ故、パンツ型使い捨ておむつの前腹部又は後背部において、強度が高く、装着の際の把持に適した部分である強化部を着用者等が容易に判別でき、その強化部を把持して装着を行うことができる。その結果、装着時のおむつの破損を有効に防止できる。例えば、他の部分との色の違いにより強化部を強調することにより、視力の低下した老人であっても、強化部を容易に認識させて把持させることができる。
【００１５】
また、装着時に外装材の強化部が把持される確実性を高めることにより、外装材の強化部以外の他の部分（大半の部分）はより薄く柔らかい構成とすることができ、おむつ全体の着用感を向上させることができる。
【００１６】
また、外装材の強化部以外の他の部分（大半の部分）の構成（シート材）をより薄くすることにより、おむつ全体の材料コストを低減できる。
【００１７】
外装材に、内装材の縦方向の前方側の端部又は後方側の端部を肌面側から覆うように基材シートに接合される前側押さえシート及び後側押さえシートが設けられ、その前側押さえシート及び後側押さえシートの少なくともいずれか一方が、基材シートの色と異なる色を有していれば、外装材の前腹部及び後背部における前側押さえシート及び後側押さえシートが付与された部分は、他の部分よりも強度が強化される。また、外装材の基材シートには不織布等の薄いシートが用いられるため、前側押さえシート又は後側押さえシートの色が基材シートと異なっている場合、前側押さえシート又は後側押さえシートの色が基材シートを介して透けて見え、これによって前側押さえシート又は後側押さえシートが付与された外装材の部分が他の部分と異なった色で視認される。
【００１８】
このため、外装材の前腹部又は後背部における基材シートと異なった色を有する前側押さえシート又は後側押さえシートが付与された部分を、着用者等に強度が高く、装着の際の把持に適した部分として容易に認識させることができる。
【００１９】
また、前側押さえシート及び後側押さえシートはパンツ型使い捨ておむつに一般的に用いられるシート材であるため、特別なシート材を追加することなく、外観の色により判別容易な強化部を形成できる。
【００２０】
外装材に、内装材の縦方向の前方側の端部又は後方側の端部を肌面側から覆うように基材シートに接合される前側押さえシート及び後側押さえシートが設けられ、その前側押さえシート及び後側押さえシートの少なくともいずれか一方が、基材シートの色と異なる色を有する接着剤により基剤シートに接合されていれば、外装材の前腹部及び後背部における前側押さえシート及び後側押さえシートが付与された部分は、他の部分よりも強度が強化される。また、外装材の基材シートには不織布等の薄いシートが用いられるため、前側押さえシート又は後側押さえシートの接合用の接着剤の色が基材シートと異なっている場合、接着剤の色が基材シートを介して透けて見え、これによって前側押さえシート又は後側押さえシートが付与された外装材の部分が他の部分と異なった色で視認される。
【００２１】
このため、外装材の前腹部又は後背部における基材シートとの接合用の接着剤にその色が基材シートと異なったものが用いられた前側押さえシート又は後側押さえシートが付与された部分を、着用者等に強度が高く、装着の際の把持に適した部分として容易に認識させることができる。
【００２２】
また、前側押さえシート及び後側押さえシートはパンツ型使い捨ておむつに一般的に用いられるシート材であるため、特別なシート材を追加することなく、外観の色により判別容易な強化部を形成できる。
【００２３】
外装材の基材シートの前腹部及び後背部の少なくともいずれか一方に、基材シートの色と異なる色を有する補強シートが接合されていれば、外装材の前腹部及び後背部における補強シートが付与された部分は、他の部分よりも強度が強化される。補強シートは外装材の基材シートと異なった色を有しているため、補強シートが基材シートの外面側に接合された場合は、補強シートが接合された外装材の部分が他の部分と異なった色で視認される。また、補強シートが基材シートの肌面側に接合された場合であっても、外装材の基材シートには不織布等の薄いシートが用いられるため、補強シートの色が基材シートを介して透けて見え、これによって補強シートが付与された外装材の部分が他の部分と異なった色で視認される。
【００２４】
このため、外装材の前腹部又は後背部における補強シートの接合により強化された部分を、着用者等に強度が高く、装着の際の把持に適した部分として容易に認識させることができる。
【００２５】
また、外装材の基材シートに補強シートを接合することにより強化部を構成するため、外装材の強度の補強の必要な部分を確実に補強できる。
【００２６】
外装材の補強シートは、例えば後背部における横方向の中央領域に配置される。外装材の後背部における横方向の中央領域は、介護者の介助によってパンツ型使い捨ておむつの装着が行われる場合などに、介護者によって把持されることが多い。このため、外装材の後背部における横方向の中央領域に他の部分と色の異なる強化部を形成することにより、介護者による装着作業の際におむつが破損するのを効果的に防止できるとともに、装着作業をより行いやすくできる。
【００２７】
外装材の補強シートは、例えば前腹部における横方向の両側のサイド領域、及び後背部における横方向の両側のサイド領域に配置される。前腹部における横方向の両側のサイド領域、及び後背部における横方向の両側のサイド領域は、着用者が自分でパンツ型使い捨ておむつの装着を行う場合に、着用者によって把持される場合が多い。このため、外装材の前腹部における横方向の両側のサイド領域、及び後背部における横方向の両側のサイド領域に他の部分と色の異なる強化部を形成することにより、着用者による装着作業の際におむつが破損するのを効果的に防止できるとともに、装着作業をより行いやすくできる。
【図面の簡単な説明】
【００２８】
【図１】本発明の第１実施形態に係るパンツ型使い捨ておむつ（以下、単に「おむつ」という）の正面図である。
【図２】図１のおむつの背面図である。
【図３】図１のおむつを左右のサイド接合部を切り離して略平面状に展開したときの平面図である。
【図４】図３のＡ−Ａ線に沿った断面の構成を模式的に示す断面図である。
【図５】本発明の第２実施形態に係るおむつの正面図である。
【図６】図５のおむつの背面図である。
【図７】本発明の第３実施形態に係るおむつの正面図である。
【図８】図７のおむつの背面図である。
【図９】図６のおむつに関連した他の構成を示す図である。
【発明を実施するための形態】
【００２９】
図１ないし図４を参照して、本発明の第１実施形態に係るおむつ１について説明する。なお、本明細書及び図面において、縦方向Ｙは着用者の前後又は上下方向に対応しており、横方向Ｘは着用者の左右方向に対応している。また、図３上における上側は着用者を基準として前方側に対応している。
【００３０】
本実施形態に係るおむつ１は、図１ないし図４に示すように、外装材２及び内装材３を備えて構成されている。外装材２は、前腹部２１と、後背部２２と、前腹部２１と後背部２２との間に設けられる股部２３とを有している。前腹部２１の横方向Ｘの両側の縁部２１ａと後背部２２の横方向Ｘの両側の縁部２２ａとが、サイド接合部４にて、溶着又は接着剤により接合されている。
【００３１】
また、外装材２の前腹部２１及び後背部２２の少なくともいずれか一方には、詳細は後述するように、前腹部２１及び後背部２２における他の部分よりも高い強度を有し、かつ他の部分と異なる色で視認される強化部５，６（図１、図２参照）が設けられている。本実施形態では、外装材２の後述する前側押さえシート２５及び後側押さえシート２６が設けられた部分が強化部５，６になっている。
【００３２】
次に、外装材２の具体的な構成について説明する。外装材２は、基材シート２４と、前側押さえシート２５と、後側押さえシート２６とを備えている。基材シート２４は、外装材２の前腹部２１、後背部２２及び股部２３の全体を連続的に網羅する部材であり、図４に示すように、互いに重ね合わされた肌面側基材シート２４１及び外面側基材シート２４２を備えて構成されている。肌面側基材シート２４１及び外面側基材シート２４２は、不織布等により構成されている。肌面側基材シート２４１と外面側基材シート２４２との間には、前側及び後側脚周り弾性部材１１，１２、前側及び後側ボディ弾性部材１３，１４、及び前側及び後側ウエスト弾性部材１５，１６が伸張された状態で挟み込まれている。
【００３３】
前側押さえシート２５及び後側押さえシート２６は、不織布等により形成される。前側押さえシート２５は、横方向Ｘの中央部における後方側の部分が内装材３の縦方向Ｙの前方側の端部を肌面側から覆うようにして、前腹部２１に位置する基材シート２４の部分に肌面側から接合される。後側押さえシート２６は、横方向Ｘの中央部における前方側の部分が内装材３の縦方向Ｙの後方側の端部を肌面側から覆うようにして、後背部２２に位置する基材シート２４の部分に肌面側から接合される。前側押さえシート２５及び後側押さえシート２６と基材シート２４との接合には、接着剤（例えば、ホットメルト接着剤）又は溶着（例えば、加熱溶着又は超音波溶着）等が用いられる。
【００３４】
前側押さえシート２５及び後側押さえシート２６の横方向Ｘの幅は外装材２の前腹部２１及び後背部２２の横方向Ｘの幅と同一であり、前側押さえシート２５及び後側押さえシート２６が前腹部２１及び後背部２２の横方向Ｘの全域を網羅している。また、前側押さえシート２５及び後側押さえシート２６の縦方向Ｙの幅は外装材２の前腹部２１及び後背部２２の縦方向Ｙの幅よりも小さい。このため、前側押さえシート２５は、前腹部２１の縦方向Ｙの前方側寄りの領域を覆うように配置されている。また、後側押さえシート２６は、後背部２２の縦方向Ｙの後方側寄りの領域を覆うように配置されている。
【００３５】
前側押さえシート２５及び後側押さえシート２６は、基材シート２４を構成する肌面側基材シート２４１及び外面側基材シート２４２の色（例えば、白等）と異なる色（例えば、赤等）を有している。肌面側基材シート２４１及び外面側基材シート２４２には不織布等の薄いシートが用いられるため、前側押さえシート２５及び後側押さえシート２６の色が基材シート２４を介して外面側から透けて見える。これによって、外装材２の前腹部２１及び後背部２２における前側押さえシート２５及び後側押さえシート２６が設けられた部分の外観の色が、他の部分と異なった色で視認される。また、外装材２の前側押さえシート２５及び後側押さえシート２６が設けられた部分は、シート材２５，２６が付与されている分だけ外装材２の他の部分より強度が高められている。これにより、本実施形態では、外装材２の前側押さえシート２５及び後側押さえシート２６が設けられた部分によって強化部５，６が構成されている。
【００３６】
次に、内装材３の構成について説明する。内装材３は、吸収コア３１、バックシート３２、トップシート３３、及び左右のサイドシート３４等を備えて構成され、外装材２の肌面側に付与される。吸収コア３１は、着用者が排泄した尿等の水分を吸収する吸収素材（例えば、繊維集合体又は吸収ポリマーを内包したシート体等）を備えて構成され、外面側のバックシート３２と、肌面側のトップシート３３及びサイドシート３４との間に挟み込まれるようにして配置される。本実施形態では、吸収コア３１の吸収素材は、縦方向Ｙの中間部の幅が縮小された略砂時計形の形状を有している。
【００３７】
バックシート３２は、不透液性の素材で構成するのが好ましい。その素材としては、例えば多孔性樹脂フィルムとその外面側に貼着された不織布とによって構成される複合シート等が用いられる。
【００３８】
トップシート３３は、透液性を有する素材（例えば、親水性不織布）により構成され、吸収コア３１の肌面側における横方向Ｘの中央部に、縦方向Ｙに沿って配置されている。左右のサイドシート３４は、トップシート３３の左右両側の縁部に肌面側から重なるように、縦方向Ｙに沿って配置されている。このサイドシート３４の横方向Ｘの内方側の部分は、肌面側に立ち上がり可能な自由端となっている。そして、左右のサイドシート３４の横方向Ｘの内方側の端部（先端）に、弾性部材３５が伸張された状態でそれぞれ付与されている。この弾性部材３５の収縮によって各サイドシート３４の横方向Ｘ内方側の部分が着用者の肌面側に向かって立ち上がり、立体ギャザー３６として機能する。この立体ギャザー３６により排泄物の横漏れが防止される。
【００３９】
以上のように、本実施形態に係るおむつ１によれば、外装材２の前腹部２１及び後背部２２に、前腹部２１及び後背部２２における他の部分よりも高い強度を有する強化部５，６が設けられ、その強化部５，６が他の部分と異なる色で視認される。それ故、おむつ１の前腹部２１又は後背部２２において、強度が高く、装着の際の把持に適した部分である強化部５，６を着用者等が容易に判別でき、その強化部５，６を把持して装着を行うことができる。その結果、装着時のおむつ１の破損を有効に防止できる。例えば、他の部分との色の違いにより強化部５，６を強調することにより、視力の低下した老人であっても、強化部５，６を容易に認識させて把持させることができる。
【００４０】
また、装着時に外装材２の強化部５，６が把持される確実性を高めることにより、外装材２の強化部５，６以外の他の部分（大半の部分）はより薄く柔らかい構成とすることができ、おむつ１全体の着用感を向上させることができる。
【００４１】
また、外装材２の強化部５，６以外の他の部分（大半の部分）の構成（シート材２４等）をより薄くすることにより、おむつ１全体の材料コストを低減できる。
【００４２】
また、本実施形態では、前側押さえシート２５及び後側押さえシート２６の色を肌面側基材シート２４１及び外面側基材シート２４２の色と異ならせることにより、外装材２の前腹部２１及び後背部２２における前側押さえシート２５及び後側押さえシート２６が付与された部分を強化部５，６としている。前側押さえシート２５及び後側押さえシート２６はパンツ型使い捨ておむつ１に一般的に用いられるシート材であるため、特別なシート材を追加することなく、外観の色により判別容易な強化部５，６を形成できる。
【００４３】
なお、上述の実施形態に係るおむつ１では、前側押さえシート２５及び後側押さえシート２６の色を肌面側基材シート２４１及び外面側基材シート２４２の色と異ならせ、外装材２の前腹部２１と後背部２２の両方に強化部５，６を形成した。この点に関する変形例として、前側押さえシート２５又は後側押さえシート２６の一方のみについてその色を肌面側基材シート２４１及び外面側基材シート２４２の色と異ならせ、外装材２の前腹部２１又は後背部２２の一方にのみ強化部５，６を形成してもよい。例えば、おむつ１の装着の際、おむつ１の前側よりも後側の方が強く上方に引っ張られる傾向があるため、後側押さえシート２６についてのみその色を肌面側基材シート２４１及び外面側基材シート２４２の色と異ならせ、外装材２の後背部２２にのみ強化部６を形成してもよい。
【００４４】
また、おむつ１に関するさらなる変形例として、前側押さえシート２５及び後側押さえシート２６の少なくともいずれか一方を、肌面側基材シート２４１及び外面側基材シート２４２の色（例えば、白等）と異なる色（例えば、赤等）を有する接着剤（例えば、ホットメルト接着剤）により基材シート２４に接合してもよい。この構成においても、その異なる色の接着剤の色が肌面側基材シート２４１及び外面側基材シート２４２を介して外面側から透けて見え、これによって前側押さえシート２５又は後側押さえシート２６が付与された外装材２の部分が他の部分と異なった色で視認される。この場合、前側押さえシート２５及び後側押さえシート２６の色は肌面側基材シート２４１及び外面側基材シート２４２の色と同一又は同系統の色であってもよい。
【００４５】
次に、図５及び図６を参照して、本発明の第２実施形態に係るおむつ１ａについて説明する。本実施形態に係るおむつ１ａと上述の第１実施形態に係るおむつ１とが実質的に異なる点は、強化部５，６に関する構成のみであり、互いに対応する部分には同一の参照符号を付して説明の重複を回避する。なお、本実施形態では、前側押さえシート２５及び後側押さえシート２６の色は、肌面側基材シート２４１及び外面側基材シート２４２と同一又は同系統の色に設定されている。
【００４６】
本実施形態に係るおむつ１ａでは、図５及び図６に示すように、外装材２を構成する基材シート２４の前腹部２１及び後背部２２に補強シート４１，４２が接合され、外装材２の補強シート４１，４２が接合された部分が強化部５，６となっている。このため、補強シート４１，４２は、基材シート２４の肌面側基材シート２４１及び外面側基材シート２４２の色（例えば、白等）と異なった色（例えば、赤等）を有している。補強シート４１，４２の素材としては、不織布又は非繊維質の樹脂シート等が用いられる。補強シート４１，４２と基材シート２４との接合には、接着剤（例えば、ホットメルト接着剤）又は溶着（例えば、加熱溶着又は超音波溶着）等が用いられる。
【００４７】
図５及び図６に示す構成では、補強シート４１，４２が基材シート２４（外面側基材シート２４２）の外面側表面に貼着されているが、補強シート４１，４２を基材シート２４（肌面側基材シート２４１）の肌面側表面に接着してもよいし、肌面側基材シート２４１と外面側基材シート２４２との間に挟み込んでもよい。この場合でも、補強シート４１，４２の色が基材シート２４又は外面側基材シート２４２を介して外面側から透けて見えるため、他の部分と色の異なる強化部５，６が形成できる。
【００４８】
また、図５及び図６に示す構成では、補強シート４１，４２が基材シート２４の前腹部２１及び後背部２２における横方向Ｘの中央領域にそれぞれ配置されている。補強シート４１の縦方向Ｙの位置については、前腹部２１における縦方向Ｙの前方側寄り（図５上の上側寄り）に設定されている。補強シート４２の縦方向Ｙの位置については、後背部２２における縦方向Ｙの後方側寄り（図６上の上側寄り）に設定されている。
【００４９】
以上のように、本実施形態に係るおむつ１ａによれば、着色した前側押さえシート２５及び後側押させシート２６を利用して強化部５，６を構成した点に基づく効果を除いて、上述の第１実施形態に係るおむつ１と同様な効果が得られる。
【００５０】
さらに、本実施形態に係るおむつ１ａによれば、外装材２の基材シート２４に補強シート４１，４２を接合することにより強化部５，６を構成するため、外装材２の強度の補強の必要な部分を確実に補強できる。
【００５１】
また、前後の２枚の補強シート４１，４２のうち、後側の補強シート４２が、基材シート２４の後背部２２における横方向Ｘの中央領域に配置されている。外装材２の後背部２２における横方向Ｘの中央領域は、介護者の介助によっておむつ１ａの装着が行われる場合などに、介護者によって把持されることが多い。このため、外装材２の後背部２２における横方向Ｘの中央領域に他の部分と色の異なる強化部６を形成することにより、介護者による装着作業の際におむつ１ａが破損するのを効果的に防止できるとともに、装着作業をより行いやすくできる。
【００５２】
なお、上述の第２実施形態に係るおむつ１ａでは、前後２枚の補強シート４１，４２を外装材２に接合して、外装材２の前腹部２１及び後背部２２の両方に強化部５，６を形成した。この点に関する変形例として、前後２枚の補強シート４１，４２のいずれか一方のみを外装材２に接合して、外装材２の前腹部２１又は後背部２２のいずれか一方にのみ強化部５，６を形成してもよい。
【００５３】
また、上述の第２実施形態に係るおむつ１ａでは、補強シート４１，４２の色を肌面側基材シート２４１及び外面側基材シート２４２の色と異ならせたが、その代わりに、補強シート４１，４２と基材シート２４との接合に用いる接着剤の色を肌面側基材シート２４１及び外面側基材シート２４２の色と異ならせてもよい。この場合、補強シート４１，４２の色は、肌面側基材シート２４１及び外面側基材シート２４２の色と同一又は同系統の色にしてもよい。
【００５４】
次に、図７及び図８を参照して、本発明の第３実施形態に係るおむつ１ｂについて説明する。本実施形態に係るおむつ１ｂと上述の第２実施形態に係るおむつ１とが実質的に異なる点は、強化部５，６に関する構成のみであり、互いに対応する部分には同一の参照符号を付して説明の重複を回避する。
【００５５】
本実施形態に係るおむつ１ｂでは、図７及び図８に示すように、外装材２を構成する基材シート２４の前腹部２１の横方向Ｘの両側のサイド領域に左右の補強シート４３が接合されるとともに、基材シート２４の後背部２２の横方向Ｘの両側のサイド領域に左右の補強シート４４が接合されている。各補強シート４３，４４は、上述の第２実施形態に係る補強シート４１，４２と同様な色及び素材のものが用いられ、補強シート４１，４２と同様な接合手段を用いて、基材シート２４の外面側表面又は肌面側表面に貼着、又は基材シート２４の肌面側基材シート２４１と外面側基材シート２４２との間に挟み込まれる。
【００５６】
前側の各補強シート４３の横方向Ｘの位置については、その横方向Ｘの外方側の端部が前腹部２１の横方向Ｘの外方側の端部と略一致するように設定されている。各補強シート４３の縦方向Ｙの位置については、前腹部２１における縦方向Ｙの前方側寄り（図７上の上側寄り）に設定されている。また、後側の各補強シート４４の横方向Ｘの位置については、その横方向Ｘの外方側の端部が後背部２２の横方向Ｘの外方側の端部と略一致するように設定されている。各補強シート４４の縦方向Ｙの位置については、後背部２２における縦方向Ｙの後方側寄り（図８上の上側寄り）に設定されている。
【００５７】
以上のように、本実施形態に係るおむつ１ｂによれば、強化部５，６の配置位置の相違に基づく点を除いて、上述の第２実施形態に係るおむつ１と同様な効果が得られる。
【００５８】
さらに、本実施形態に係るおむつ１ｂによれば、前側の左右の補強シート４３が、外装材２の前腹部２１における横方向Ｘの両側のサイド領域に配置されるとともに、後側の左右の補強シート４４が後背部２２における横方向Ｘの両側のサイド領域に配置される。前腹部２１における横方向Ｘの両側のサイド領域、及び後背部２２における横方向Ｘの両側のサイド領域は、着用者が自分でおむつ１ｂの装着を行う場合に、着用者によって把持される場合が多い。このため、外装材２の前腹部２１における横方向Ｘの両側のサイド領域、及び後背部２２における横方向Ｘの両側のサイド領域に他の部分と色の異なる強化部５，６を形成することにより、着用者によるおむつ１ｂの装着作業の際におむつ１ｂが破損するのを効果的に防止できるとともに、装着作業をより行いやすくできる。
【００５９】
最後に、図９を参照して、上述の図６のおむつ１ａに関連した他の構成について説明する。この図９に示すおむつ１ｃでは、補強シート４５が、外装材２の背面側における横方向Ｘの中央部において、後背部２２から股部２３にかけて縦方向Ｙに沿って接合されている。補強シート４５は、上述の補強シート４１，４２と同様な色及び素材のものが用いられ、補強シート４１，４２と同様な接合手段を用いて、基材シート２４の外面側表面又は肌面側表面に貼着、又は基材シート２４の肌面側基材シート２４１と外面側基材シート２４２との間に挟み込まれる。
【００６０】
この図９に示すおむつ１ｃでは、外装材２の背面側における横方向Ｘの中央部における後背部２２から股部２３にかけての部分に強化部６が形成されている。これにより、おむつ１ｃの装着時におむつ１ｃの後背部２２が把持されて上方側に引き上げられる際に、その張力をおむつ１ｃの股部２３(特に、股下領域）まで効果的に伝達することができ、外装材２の背面側における上端部から股下領域までの全体を一緒に引き上げることができる。このため、おむつ１ｃが装着された際に、おむつ１ｃの股下領域を着用者の肌面に容易に密着させて、股下領域と肌面との間に隙間が生じるのを防止できる。また、おむつ１ｃの股下領域を引き上げようとして外装材２に無理な力がかけられ、外装材２が破損するのも防止できる。その結果、おむつ１ｃの装着も容易になる。
【符号の説明】
【００６１】
１，１ａ〜１ｃ  おむつ、１１  前側脚周り弾性部材、１２  後側脚周り弾性部材、１３  前側ボディ弾性部材、１４  後側ボディ弾性部材、１５  前側ウエスト弾性部材、１６  後側ウエスト弾性部材、２  外装材、２１  前腹部、２２  後背部、２３  股部、２４  基材シート、２４１  肌面側基材シート、２４２  外面側基材シート、２５  前側押さえシート、２６  後側押さえシート、３  内装材、３１  吸収コア、３２  バックシート、３３  トップシート、３４  サイドシート、３５  弾性部材、３６  立体ギャザー、４  サイド接合部、５，６  強化部、４１〜４５  補強シート、Ｘ  横方向、Ｙ  縦方向。
【図１】
0005558977.tif 000002
【図２】
0005558977.tif 000003
【図３】
0005558977.tif 000004
【図４】
0005558977.tif 000005
【図５】
0005558977.tif 000006
【図６】
0005558977.tif 000007
【図７】
0005558977.tif 000008
【図８】
0005558977.tif 000009
【図９】
0005558977.tif 000010